(57)【要約】【課題】プリンタに異常が発生しても、データの書込みを継続して行なうことのできるメディア処理装置を提案すること。【解決手段】ＣＤ／ＤＶＤパブリッシャ１はレーベルプリンタ４で発生するインクエンドなどのインク供給異常状態を検出するプリンタ異常検出部４０と、書込み済みメディアをメディアドライブ３、レーベルプリンタ４あるいはメディア搬送経路上から退避させるメディア退避用スタッカ７を備えている。プリンタ異常検出部４０がインク供給異常状態を検出すると、メディア搬送機構２は、書込み済みメディアをメディア退避用スタッカ７に強制的に退避させる。この結果、書込み済みメディアがメディアドライブ３やレーベルプリンタ４の内部、あるいはメディア搬送経路上に残ってしまうことがないので、メディアドライブ３に新たなブランクメディア１０を供給して、データ書込み動作を継続して行なうことができる。【選択図】図２
2008114434.tif 000002
【特許請求の範囲】
【請求項１】
メディア供給部からメディアドライブにメディアを供給し、
当該メディアドライブによって前記メディアにデータを書込み、
データ書込み後の書込み済みメディアをプリンタに供給し、
当該プリンタによって書込み済みメディアにレーベルを印刷し、
レーベル印刷後の完成メディアを完成メディアスタッカに収納し、
前記プリンタの異常が検出された後は、前記メディアドライブによってデータが書込まれた後の書込み済みメディアを所定の退避場所に退避させ、
前記プリンタが正常に戻るまでは、前記メディア供給部から前記メディアドライブに供給される新たなメディアに対するデータ書込み動作、および、書込み済みメディアの前記退避場所への退避動作を継続することを特徴とするメディア処理装置の駆動制御方法。
【請求項２】
請求項１において、
前記退避場所は、前記完成メディアスタッカ、または、当該完成メディアスタッカとは別に配置したメディア退避用スタッカであることを特徴とするメディア処理装置の駆動制御方法。
【請求項３】
請求項２において、
前記退避場所を前記メディア退避用スタッカとし、
前記プリンタが正常状態に復帰した後は、当該メディア退避用スタッカに退避させてある書込み済みメディアを取り出して前記プリンタに搬送し、
当該プリンタにおいてレーベル印刷を行い、
レーベル印刷後の完成メディアを前記完成メディアスタッカに収納することを特徴とするメディア処理装置の駆動制御方法。
【請求項４】
請求項１ないし３のうちのいずれかの項において、
前記プリンタにより前記書込み済みメディアに対する印刷開始後の時点で当該プリンタの異常が検出されると、
当該プリンタの印刷動作を強制終了させ、
当該プリンタから印刷途中の前記書込み済みメディアを取り出して、作成不良メディアスタッカに排出することを特徴とするメディア処理装置の駆動制御方法。
【請求項５】
請求項１ないし４のうちのいずれかの項において、
前記プリンタの異常として、当該プリンタのインク切れ状態、および当該プリンタのインク残量が所定量以下になったインク切れ間近状態を検出し、
前記プリンタにより前記書込み済みメディアに対する印刷開始後の時点で前記インク切れ間近状態が検出された場合には、当該プリンタの印刷動作を強制終了させることなくそのまま継続させることを特徴とするメディア処理装置の駆動制御方法。
【請求項６】
請求項５において、
前記インク切れ間近状態が検出された後に印刷動作が終了した書込み済みメディアを前記プリンタから取り出して前記完成メディアスタッカに収納した後は、
前記メディアドライブによってデータの書込みが行われた後の書込み済みメディアを、前記プリンタに搬送することなく、前記退避場所へ退避させることを特徴とするメディア処理装置の駆動制御方法。
【請求項７】
請求項５または６において、
前記インク切れ間近状態を検出するための前記プリンタのインク残量を、１枚のメディアに対するレーベル印刷に必要なインク消費量以上のインク残量としたことを特徴とするメディア処理装置の駆動制御方法。
【請求項８】
請求項１ないし７のうちのいずれかの項において、
前記プリンタの異常が検出されると、その旨の警告を発生することを特徴とするメディア処理装置の駆動制御方法。
【請求項９】
請求項１ないし８のうちのいずれかの項において、
前記メディアドライブにおけるデータ書込み異常を検出し、
データ書込み異常が発生した書込み異常メディアを作成不良メディアスタッカに排出することを特徴とするメディア処理装置の駆動制御方法。
【請求項１０】
請求項１ないし９のうちのいずれかの方法によりメディア処理装置を駆動制御する駆動制御装置であって、
通信回線を介して外部から前記メディア処理装置を駆動制御することを特徴とするメディア処理装置の駆動制御装置。
【請求項１１】
メディアにデータを書込むメディアドライブと、
メディアにレーベルを印刷するプリンタと、
データの書込み、およびレーベル印刷が終了した完成メディアを収納するための完成メディアスタッカと、
メディアを退避させるためのメディア退避用スタッカと、
メディアを搬送するメディア搬送機構と、
前記プリンタの異常を検出するプリンタ異常検出手段とを有し、
前記メディア搬送機構は、前記プリンタの異常が検出された後は、前記メディアドライブによってデータの書込みが行われた後の書込み済みメディアを前記メディア退避用スタッカに退避させることを特徴とするメディア処理装置。
【請求項１２】
請求項１１において、
作成不良メディアスタッカを有し、
前記プリンタにより前記書込み済みメディアに対する印刷開始後の時点で当該プリンタの異常が検出されると、前記プリンタは印刷動作を強制終了し、前記メディア搬送機構は印刷途中の前記書込み済みメディアを当該プリンタから前記作成不良メディアスタッカに排出することを特徴とするメディア処理装置。
【請求項１３】
請求項１１において、
作成不良ディスクスタッカを有し、
前記プリンタ異常検出手段は、前記プリンタのインク切れ状態、および当該プリンタのインク残量が所定量以下になったインク切れ間近状態を検出するものであり、
前記プリンタにより前記書込み済みメディアに対する印刷開始後の時点で前記インク切れ間近状態が検出された場合には、前記プリンタは印刷動作を強制終了させることなくそのまま継続し、前記メディア搬送機構は印刷後の完成メディアを前記完成メディアスタッカに収納し、
前記プリンタにより前記書込み済みメディアに対する印刷開始後の時点で前記インク切れが検出された場合には、前記プリンタは印刷動作を強制終了し、前記メディア搬送機構は印刷途中の前記書込み済みメディアを当該プリンタから前記作成不良メディアスタッカに排出することを特徴とするメディア処理装置。
【請求項１４】
請求項１３において、
前記プリンタの異常が検出されると警告を発する警告手段を有していることを特徴とするメディア処理装置。
【請求項１５】
請求項１３または１４において、
前記メディアドライブのデータ書込み異常を検出するためのデータ書込み異常検出手段を有し、
前記メディア搬送機構は、データ書込み異常が発生した書込み異常メディアを前記作成不良メディアスタッカに排出することを特徴とするメディア処理装置。
【発明の詳細な説明】
【技術分野】
【０００１】
本発明は、ＣＤ、ＤＶＤなどのメディアにデータの書込みおよびレーベル印刷を行なうＣＤ／ＤＶＤパブリッシャなどのメディア処理装置に関し、更に詳しくは、レーベルを印刷するプリンタに異常が発生してもデータの書込みを継続して行うことのできるメディア処理装置およびメディア処理装置の制御方法に関する。
【背景技術】
【０００２】
メディア処理装置、たとえばＣＤ／ＤＶＤパブリッシャは、卒業アルバムのＤＶＤや雑誌に付録として添付されているＣＤなどのメディアを作成するために用いられる。ＣＤ／ＤＶＤパブリッシャでは、メディア供給部から取り出したブランクメディアを、まず、メディアドライブに供給し、そこにおいて所定のデータを書込み、データ書込み後のメディアをプリンタに供給し、そこにおいてレーベルが印刷される。このようにして作成されたメディアが排出口から１枚ずつ発行される。大量にメディアを作成する場合などにおいては、メディアスタッカに完成メディアが順次に収納され、必要枚数分のメディアが作成された後に、当該メディアスタッカから完成メディアをオペレータが一括して取り出されるようになっている。
【０００３】
ＣＤ／ＤＶＤパブリッシャにおいて、メディアドライブでデータ書込みエラーが発生した場合、あるいは、プリンタで印刷エラーが発生した場合には、その時点で、データ書込み動作あるいは印刷動作を停止あるいは中断させる必要がある。また、動作を再開するには、メディアドライブあるいはプリンタを正常状態に復帰させ、データ書込みエラーあるいは印刷エラーが発生したメディアを取り除く必要がある。
【０００４】
ここで、プリンタにおける印刷エラーの発生確率は、メディアドライブにおけるデータ書込みエラーが発生する確率に比べて極めて高い。この理由は、プリンタは、それ自体にエラーが発生しなくても、消耗品としてのインクやトナーなどが無くなり、印字不良あるいは印字不可のエラー状態に陥るからである。
【０００５】
特許文献１には、インクジェットプリンタにおいてインク切れが発生した場合に、インクが補填されるまで印字動作を停止または中断する点が開示されている。特許文献２には、画像形成装置においてインク切れ間近状態、すなわちインクニアエンドが検出された時点におけるインク残量を記録紙１枚分の印刷が可能な量としておき、印刷中にインクニアエンドが検出された場合には、印刷中の記録紙に対する印刷動作を最後まで行い、しかる後に印刷動作を停止あるいは中断する点が開示されている。特許文献３には、インク切れが検出された後は、残っている色インクを用いて印刷を継続する点が開示されている。
【特許文献１】特開２０００−１４１７００号公報
【特許文献２】特開２００５−４１０２５号公報
【特許文献３】特開２００１−１９１５６０号公報
【発明の開示】
【発明が解決しようとする課題】
【０００６】
ＣＤ／ＤＶＤパブリッシャにおいては、卒業アルバムなどのように大量のメディアを作成する場合には、２４時間稼動でＣＤ、ＤＶＤなどのメディアを作成することが多い。この場合、深夜には無人となる可能性が高く、この間にプリンタにインク切れが発生した場合には、インクを補填するまでの間はメディア作成動作（データ書込み動作およびレーベル印刷動作）が停止あるいは中断してしまう。このような無人稼動では、インク切れなどの印刷エラーによる中断状態が長時間に亘ってしまう可能性がある。また、オペレータとＣＤ／ＤＶＤパブリッシャが離れている場合には、インク切れなどの印刷エラーの発生に気づかずに、無人稼動の時と同様に中断状態が発生してしまう可能性もある。
【０００７】
このような事態が発生すると、メディア作成作業が大幅に遅れてしまう。また、ＣＤ／ＤＶＤパブリッシャの動作停止あるいは中断時間が長くなると、処理効率が大幅に低下し、消費電力の無駄が増大する。インク切れを回避するためには、大量のメディアを作成する際に、インク残量の確認作業、インクの補填作業、あるいはインクカートリッジを新しいものに交換する作業を行う必要がある。このような作業を都度行うことは面倒であり、インクカートリッジの交換頻度が高まりインクの無駄が発生してしまう。
【０００８】
本発明の課題は、このような点に鑑みて、プリンタにインク切れなどの異常が発生した場合においても処理動作を完全に停止あるいは中断する必要のないメディア処理装置およびメディア処理装置の駆動制御方法を提案することにある。
【課題を解決するための手段】
【０００９】
上記の課題を解決するために、本発明のメディア処理装置の駆動制御方法は、メディア供給部からメディアドライブにメディアを供給し、当該メディアドライブによって前記メディアにデータを書込み、データ書込み後の書込み済みメディアをプリンタに供給し、当該プリンタによって書込み済みメディアにレーベルを印刷し、レーベル印刷後の完成メディアを完成メディアスタッカに収納し、前記プリンタの異常が検出された後は、前記メディアドライブによってデータが書込まれた後の書込み済みメディアを所定の退避場所に退避させ、前記プリンタが正常に戻るまでは、前記メディア供給部から前記メディアドライブに供給される新たなメディアに対するデータ書込み動作、および、書込み済みメディアの前記退避場所への退避動作を継続することを特徴としている。
【００１０】
本発明によれば、プリンタに異常が発生した場合には、書込み済みメディアを退避場所に退避させる。書込み済みメディアが、メディアドライブ内、プリンタ内、あるいは搬送経路上に残ってしまうことがないので、新たなメディアをメディアドライブに供給して、そのメディアに対するデータの書込みを行うことができる。よって、プリンタにインク切れなどの異常が発生しても、メディア処理装置の処理動作が完全に停止あるいは中断することがなく、メディアへのデータ書込み動作を継続して行うことができる。
【００１１】
例えば、メディアドライブによるＣＤへのデータの書込み速度は１枚あたり１５０秒程度、ＤＶＤへのデータの書込み速度は１枚あたり６００秒程度である。これに対して、プリンタによるレーベルの印刷速度は高解像度で印刷しても１枚あたり４０秒程度である。従って、メディアへのデーダ書込み動作が停止することなく行なわれれば、プリンタに発生した異常によってメディア処理装置の処理動作の全体が停止あるいは中断してしまった場合と比べて、処理時間の損失を大幅に抑制できる。
【００１２】
ここで、プリンタ異常が発生した後の書込み済みメディアの退避場所を、完成メディアスタッカ、または、当該完成メディアスタッカとは別に配置したメディア退避用スタッカとすることができる。
【００１３】
退避場所をメディア退避用スタッカとした場合には、プリンタが正常状態に復帰した後に、当該メディア退避用スタッカに退避させてある書込み済みメディアを取り出してプリンタに搬送し、当該プリンタにおいてレーベル印刷を行うことにより、これらの未完成状態のメディアを作成することができる。よって、プリンタを正常状態に復帰させた後の処理を効率良く行うことができる。
【００１４】
本発明において、プリンタにより書込み済みメディアに対する印刷開始後の時点で当該プリンタの異常が検出された場合には、当該プリンタの印刷動作を強制終了させ、当該プリンタから印刷途中の書込み済みメディアを取り出して、作成不良メディアスタッカに排出するようにしている。このような印刷不良のメディアは、データが書込まれて退避場所に退避させてある未印刷状態のメディアとは異なり、使用することができない。したがって、このような印刷不良のメディアを、未印刷状態のメディア、完成メディアとは別の場所に排出しておけば、印刷不良メディアを廃棄するために、印刷不良メディアをそれ以外のメディアから仕訳して取り出す作業が不要になり、プリンタが正常状態に復帰した後の処理を効率化できる。
【００１５】
ここで、プリンタの異常として、発生頻度の高いインク供給異常、すなわち、プリンタのインク切れ状態（インクエンド）、および当該プリンタのインク残量が所定量以下になったインク切れ間近状態（インクニアエンド）を検出することができる。この場合には、プリンタにより書込み済みメディアに対する印刷開始後の時点でインク切れ間近状態が検出されたときには当該プリンタの印刷動作を強制終了させることなくそのまま継続させ、当該書込み済みメディアに対する印刷を完了させることが望ましい。
【００１６】
また、この場合には、インク切れ間近状態が検出された後に印刷動作が終了した書込み済みメディアをプリンタから取り出して完成メディアスタッカに収納した後は、メディアドライブによってデータの書込みが行われた後の書込み済みメディアを、プリンタに搬送することなく、退避場所へ退避させるようにすればよい。
【００１７】
ここで、インク切れ間近状態を検出するためのプリンタのインク残量を、１枚のメディアに対するレーベル印刷に必要なインク消費量以上のインク残量としておけば、印刷途中においてインク切れ間近状態が検出された場合においても、当該印刷途中のメディアに対する印刷を最後まで行うことができる。このようなインク残量は、印刷データ量から予測することが可能である。
【００１８】
なお、プリンタの異常が検出された場合には、その旨の警告を発して、オペレータなどに知らせることが望ましい。
【００１９】
また、データ書込み異常が発生したメディアは、印刷不良メディアと同様に使用できないので、正常に書込みが行われた書込み済みメデイア、完成メディアの収納場所とは異なる作成不良メディアスタッカに排出して、廃棄処分とすることが望ましい。
【００２０】
ここで、このような本発明によるメディア処理装置の駆動制御方法は、メディア処理装置のハードウエアおよびそれに搭載したファームウエアにより実現することができる。しかしながら、メディア処理装置のファームウエア、ハードウエアなどの複雑化を回避し、本発明の駆動制御方法をメディア処理装置に実行させるためには、通信回線を介して外部からメディア処理装置を駆動制御すればよい。すなわち、駆動制御装置の側に搭載したアプリケーションソフト、ドライバソフトなどによって、メディア処理装置のハードウエアの動作状態を示すステータス情報を受信するようにして、本発明の駆動制御方法に従って動作するようにメディア処理装置を駆動制御すればよい。
【００２１】
次に、本発明のメディア処理装置は、メディアにデータを書込むメディアドライブと、メディアにレーベルを印刷するプリンタと、データの書込み、およびレーベル印刷が終了した完成メディアを収納するための完成メディアスタッカと、メディアを退避させるためのメディア退避用スタッカと、メディアを搬送するメディア搬送機構と、前記プリンタの異常を検出するプリンタ異常検出手段とを有し、前記メディア搬送機構は、前記プリンタの異常が検出された後は、前記メディアドライブによってデータの書込みが行われた後の書込み済みメディアを前記メディア退避用スタッカに退避させることを特徴としている。
【００２２】
ここで、作成不良メディアスタッカを有し、前記プリンタにより前記書込み済みメディアに対する印刷開始後の時点で当該プリンタの異常が検出されると、前記プリンタは印刷動作を強制終了し、前記メディア搬送機構は印刷途中の前記書込み済みメディアを当該プリンタから前記作成不良メディアスタッカに排出することが望ましい。
【００２３】
前記プリンタ異常検出手段が、前記プリンタのインク切れ状態、および当該プリンタのインク残量が所定量以下になったインク切れ間近状態を検出する場合には、前記プリンタにより前記書込み済みメディアに対する印刷開始後の時点で前記インク切れ間近状態が検出された場合には、前記プリンタは印刷動作を強制終了させることなくそのまま継続し、前記メディア搬送機構は印刷後の完成メディアを前記完成メディアスタッカに収納することができる。また、前記プリンタにより前記書込み済みメディアに対する印刷開始後の時点で前記インク切れが検出された場合には、前記プリンタは印刷動作を強制終了し、前記メディア搬送機構は印刷途中の前記書込み済みメディアを当該プリンタから前記作成不良メディアスタッカに排出すればよい。
【００２４】
さらに、前記プリンタの異常が検出されると警告を発する警告手段を有していることが望ましい。
【００２５】
これに加えて、前記メディアドライブのデータ書込み異常を検出するためのデータ書込み異常検出手段を有し、前記メディア搬送機構は、データ書込み異常が発生した書込み異常メディアを前記作成不良メディアスタッカに排出することが望ましい。
【発明の効果】
【００２６】
本発明によれば、プリンタに異常が発生した場合には、書込み済みメディアはメディア退避用スタッカなどの退避場所に退避させられ、書込み済みメディアがメディアドライブ内、プリンタ内、あるいはメディア搬送経路上に残ってしまうことがない。よって、新たなメディアをメディアドライブに供給して、データの書込み動作を継続させることができる。処理に時間がかかるデータ書込み動作を停止あるいは中断させる必要がないので、プリンタに異常が発生した場合に処理動作が完全に停止あるいは中断してしまう場合に比べて、メディア作成のための処理時間の損失を大幅に抑えることができる。
【発明を実施するための最良の形態】
【００２７】
以下に、図面を参照して本発明を適用したメディア処理装置の実施の形態を説明する。
【００２８】
［実施の形態１］
（構成の説明）
図１は本発明の実施の形態に係るＣＤ／ＤＶＤパブリッシャを示す斜視図であり、内部構造が分かるように、その前面の開閉扉を開くと共に、その筐体の上板部分の一部を取り外した状態で示してある。なお、本実施例ではインクジェットプリンタを使用して説明している。
【００２９】
ＣＤ／ＤＶＤパブリッシャ１は、ＣＤ、ＤＶＤなどのメディアに、データの書込みとレーベルの印刷とを連続して行なうものであり、メディアを搬送するメディア搬送機構２と、メディアにデータを書込むメディアドライブ３と、メディアにレーベルを印刷するレーベルプリンタ４とを有している。また、メディアドライブ３に供給されるブランクメディア１０を収納するブランクメディアスタッカ５（メディア供給部）と、データの書込み、およびレーベル印刷が終了した完成メディアを収納するための完成メディアスタッカ６と、メディアを搬送経路上から退避させるためのメディア退避用スタッカ７と、作成不良メディアスタッカ８とを備えている。
【００３０】
詳細に説明すると、ＣＤ／ＤＶＤパブリッシャ１は筺体１１を備え、この筐体１１の前面には左右に開閉可能な開閉扉１２、１３が取り付けられている。右側の開閉扉１３の下側部分は前方に迫り出した操作パネル面１４となっており、ここには、処理開始スイッチ１５、レーベルプリンタ４などに異常が発生した場合にその旨の警告を発するために点滅駆動されるＬＥＤを備えた警告表示部１６（警告手段）が配置されている。
【００３１】
筐体１１内において、左側の開閉扉１２の裏側には、上から順番に、ブランクメディアスタッカ５、完成メディアスタッカ６、メディア退避用スタッカ７が配置されている。各メディアスタッカ５、６、７は、メディアを上下方向に積層した状態で収納するものである。これらのメディアスタッカ５ないし７は、開閉扉１２を開けて手前に引き出すことが可能であり、引き出した状態のブランクメディアスタッカ５にはブランクメディアを供給あるいは補充でき、引き出した状態の完成メディアスタッカ６およびメディア退避用スタッカ７からは、それらに収納されているメディアを取り出すことができる。
【００３２】
筺体１１内の正面中央部における下側位置には、作成不良メディアスタッカ８が設けられている。作成不良メディアスタッカ８は、円形凹部が形成されたトレイ状のスタッカであり、ここには、印刷異常、データ書込み異常が発生した作成不良メディアが排出される。
【００３３】
メディアスタッカ５、６、７の後方にはメディア搬送機構２が配置されている。メディア搬送機構２は、垂直ガイド軸２１と、この垂直ガイド軸２１に取り付けられたメディアキャリア２２を備えている。メディアキャリア２２は垂直ガイド軸２１に沿って昇降可能であるとともに、垂直ガイド軸２１を中心に旋回可能になっている。メディア搬送機構２は、メディアキャリア２２の昇降および旋回の組み合わせによって、メディアドライブ３、レーベルプリンタ４および各メディアスタッカ５、６、７、８の間でメディアを搬送することができる。
【００３４】
筐体１１内の正面中央部の後ろ側の部位には、上側にメディアドライブ３が配置され、下側にレーベルプリンタ４が配置されている。図１では、メディアドライブ３のメディアトレイ３５およびレーベルプリンタ４のメディアトレイ４５が引き出された状態になっている。引き出された状態のメディアトレイ３５、４５の位置が、メディアドライブ３およびレーベルプリンタ４とメディア搬送機構２とのメディア受け渡し位置である。
【００３５】
筐体１１内における右側の開閉扉１３の裏側には、レーベルプリンタ４にインクを供給する複数のインクカートリッジ４６が装着されたカートリッジ装着部４７が配置されている。インクカートリッジ４６の交換は、右側の開閉扉１３を開けた状態で正面から簡単に行なうことができる。
【００３６】
図２はＣＤ／ＤＶＤパブリッシャ１の主要部分の機能ブロック図である。この図を参照してＣＤ／ＤＶＤパブリッシャ１の主要機能を説明する。まず、メディア搬送機構２は、ブランクメディアスタッカ５に収納されているブランクメディア１０を逐次メディアドライブ３に供給すると（ＳＴ１）、メディアドライブ３は所定のデータを書込む（ＳＴ２）。データの書込みが終了するとメディア搬送機構２は書込み済みメディアをレーベルプリンタ４に供給し（ＳＴ３）、レーベルプリンタ４はレーベルを印刷する（ＳＴ４）。印刷が終了した完成メディアはメディア搬送機構２によって完成メディアスタッカ６に収納される（ＳＴ５）。これら一連の処理動作が、指定枚数分、あるいは、ブランクメディアスタッカ５に収納されているブランクメディア１０が無くなるまで繰り返し行われる。
【００３７】
ここで、ＣＤ／ＤＶＤパブリッシャ１は、メディアドライブ３において発生するデータ書込み異常を検出するデータ書込み異常検出部３１を備えており、データ書込み異常検出部３１がデータ書込み異常を検出すると、メディア搬送機構２は書込み異常メディアをメディアドライブ３からレーベルプリンタ４へ搬送することなく、作成不良メディアスタッカ８に排出する（ＳＴ６）。
【００３８】
また、レーベルプリンタ４で発生する異常状態を検出するプリンタ異常検出部４０を備えている。本例のプリンタ異常検出部４０はレーベルプリンタ４のインク供給異常を検出する。インクが実質的に無くなったインク切れ状態であるインクエンドを検出するインクエンド検出部４１と、インク残量が所定量以下になったインク切れ間近状態であるインクニアエンドを検出するインクニアエンド検出部４２とが含まれている。メディア搬送機構２は、書込み済みメディアをメディアドライブ３からレーベルプリンタ４に搬送する前にインクニアエンドあるいはインクエンドが検出された場合には、書込み済みメディアをレーベルプリンタ４へ搬送することなく、メディア退避用スタッカ７に収納する（ＳＴ７）。
【００３９】
また、メディア搬送機構２が書込み済みメディアをレーベルプリンタ４に搬送し、レーベルプリンタ４でレーベルの印刷を開始した後にインクニアエンドが検出された場合には、レーベルプリンタ４は警告表示部１６にインクニアエンドが発生した旨の警告を表示して印刷を続行する。その後、当該印刷中の書込み済みメディアの印刷が終了する前にインクエンドを検出した場合には、インクエンドが発生した旨を警告表示部１６に表示するとともに印刷を強制終了する。この後は、メディア搬送機構２が印刷途中の書込み済みメディア（印刷異常メディア）を作成不良メディアスタッカ８に排出する（ＳＴ８）。
【００４０】
このように、レーベルプリンタ４に異常が発生すると、書込み済みメディアはメディア退避用スタッカ７に退避させられるので、メディアドライブ３およびレーベルプリンタ４の内部、メディア搬送経路上に書込み済みメディアが残ってしまうことがない。この結果、新たなブランクメディア１０をメディアドライブ３に供給することができるので、処理に時間のかかるブランクメディア１０へのデータの書込みを継続して行なうことができる。よって、レーベルプリンタ４に異常が発生した場合でも、処理時間の損失を抑えることができる。
【００４１】
（処理動作の説明）
図３は、ＣＤ／ＤＶＤパブリッシャ１によるメディア作成の処理動作を示すフローチャートである。このフローチャートに従ってメディア作成動作を説明する。
【００４２】
まず、ステップＳＴ１０で、メディア搬送機構２はブランクメディアスタッカ５に収納されているブランクメディア１０の有無を確認する。ブランクメディア１０が無ければステップＳＴ１１に移行して、メディア作成の処理動作は終了する。ブランクメディア１０があれば、ステップＳＴ１２に移行して、メディア搬送機構２はブランクメディアスタッカ５からメディアドライブ３の引き出された状態のメディアトレイ３５にブランクメディア１０を搬送する。
【００４３】
メディアドライブ３はメディアを受け取ると、メディアトレイ３５を内部に収納して、ステップＳＴ１３のデータの書込みを開始する。
【００４４】
データの書込み処理の過程でデータ書込み異常検出部３１がデータ書込み異常を検出したか否かを判定する。ステップＳＴ１４で、データ書込み異常を検出した場合には、ステップＳＴ１５で書込み異常の発生を警告表示部１６に表示し、ステップＳＴ１６で書込み異常メディアをメディア搬送機構２が作成不良メディアスタッカ８に排出した後、ステップＳＴ１０に戻る。
【００４５】
ステップＳＴ１４においてデータ書込み異常検出部３１がデータ書込み異常を検出しなかった場合、すなわち、データ書込みが正常であった場合には、ステップＳＴ１７でプリンタ異常検出部４０のインク供給異常状態を判定する。このステップＳＴ１７では、インクエンド検出部４１が検出したインクエンドも、インクニアエンド検出部４２が検出したインクニアエンドも、いずれもインク供給異常状態と判定する。
【００４６】
ステップＳＴ１７でインク供給異常状態と判定した場合には、ステップＳＴ１８で異常の発生を警告表示部１６に表示し、ステップＳＴ１９で書込み済みメディアをメディア搬送機構２がメディア退避用スタッカ７に収納した後、ステップＳＴ１０に戻る。
【００４７】
ステップＳＴ１９でメディア退避用スタッカ７に収納されるメディアは、データの書込みが正常に終了し、レーベルの印刷が行なわれていない未印刷状態の書込み済みメディアである。
【００４８】
ステップＳＴ１７で正常と判定した場合には、ステップＳＴ２０でメディア搬送機構２は書込み済みメディアをレーベルプリンタ４の引き出された状態のメディアトレイ４５へ搬送する。レーベルプリンタ４は書込み済みメディアを受け取ると、ステップＳＴ２１でレーベルの印刷を行なう。レーベル印刷中はプリンタ異常検出部４０がインクエンドおよびインクニアエンドの検出を行なっている。
【００４９】
ここで、レーベルの印刷中のステップＳＴ２２でインクニアエンド検出部４２がインクニアエンドを検出すると、ステップＳＴ２３で、警告表示部１６にインクニアエンドが発生した旨を表示する。この際、レーベルプリンタ４によるレーベルの印刷は中止することなく、継続して行なう。その後、当該メディアの印刷中に、ステップＳＴ２４で、インクエンド検出部４１がインクエンドを検出すると、ステップＳＴ２５に移行する。なお、インクニアエンドを検出する時点のプリンタのインク残量を、１枚のメディアに対するレーベルの印刷に必要なインク消費量以上のインク残量としておけば、印刷中にインクニアエンドを検出した場合でも、当該印刷中の書込み済みメディアに対する印刷を最後まで行なうことができる。このようなインク残量は、印刷データ量から予測することが可能である。
【００５０】
ステップＳＴ２５で、警告表示部１６にインクエンドが発生した旨を表示する。また、レーベルプリンタ４によるレーベルの印刷を強制終了する。ステップＳＴ２６で印刷異常メディアをメディア搬送機構２が作成不良メディアスタッカ８に排出した後、ステップＳＴ１０に戻る。
【００５１】
ステップＳＴ２４でインクエンドでなかった場合には、ステップＳＴ２７でレーベルの印刷の終了を確認するまで、ステップＳＴ２１〜ＳＴ２４の処理動作を繰り返す。
【００５２】
そして、ステップＳＴ２７でレーベルの印刷が終了したことを確認すると、ステップＳＴ２８で、印刷が終了した完成メディアをメディア搬送機構２が完成メディアスタッカ６に収納した後、ステップＳＴ１０に戻る。
【００５３】
(作用効果の説明）
本例によれば、書込み済みメディアをレーベルプリンタ４に搬送する前にプリンタ異常検出部４０がインクエンドおよびインクニアエンドを検出した場合には、ステップＳＴ１９で、メディア搬送機構２は当該書込み済みメディアをメディア退避用スタッカ７に収納している。レーベルプリンタ４を経由させないで搬送しているので、書込み済みメディアを退避させる時間を短縮することができる。
【００５４】
また、レーベルの印刷中にインクニアエンドを検出しても、インクエンドを検出するまでの間は、メディア印刷処理を継続して行なっているので、残存するインクによって完成メディアの枚数を多くできる。
【００５５】
さらに、レーベルプリンタ４での印刷中にインクエンドを検出した場合には、レーベル印刷途中の印刷異常メディアを作成不良メディアスタッカ８に排出するようにしている。印刷異常メディアは、データ書込み異常が発生した書込み異常メディアと同様に使用できないので、それらの搬送先を作成不良メディアスタッカ８とすれば、書込み異常メディアと印刷異常メディアを一括して廃棄することができる。
【００５６】
さらには、メディア退避用スタッカ７には、書込み済みメディアであり、かつ未印刷状態のメディアだけが収納されている。従って、レーベルプリンタ４を正常状態に復帰させた後に、メディア退避用スタッカ７に退避してあった書込み済みメディアを、メディア搬送機構２によってレーベルプリンタ４に搬送し、当該レーベルプリンタ４においてレーベル印刷を行なえばよい。
【００５７】
なお、本例では、インク供給異常状態としてインクニアエンドおよびインクエンドを検出していたが、カートリッジ装着部４７にインクカートリッジ４６が装着されていない状態をインク供給異常として検出してもよい。また、プリンタ異常検出部４０が検出する異常はインク供給異常状態に限られるものではなく、ハードウエアに発生した異常を検出するものであってもよい。いずれの場合にも、インクエンドを検出した場合の処理動作と同様の処理動作を行なうようにすることができる。
【００５８】
また、本例では、ブランクメディアスタッカ５からブランクメディア１０を搬送してデータの書込みを行なっていたが、搬送されるメディアはブランクメディア１０に限られるものではない。データ書込み領域の一部分に既にデータが書込まれている追記型或いは書き換え型のメディアをブランクメディアスタッカ５に収納しておいて、それらに所定のデータを書込むこともできる。
【００５９】
また、作成不良メディアスタッカ８は、円形凹部が形成されたトレイ状の排出型スタッカとしているが、他のスタッカと同様に収納型スタッカであってもよい。
【００６０】
また、レーベルプリンタ４としてインクジェットプリンタを用いていたが、レーベルプリンタとしては、レーザプリンタなどトナーインクを用いてレーベルの印刷を行なうプリンタであってもよい。
【００６１】
［実施の形態２］
前記の例では、ＣＤ／ＤＶＤパブリッシャ１のメディアドライブ３、レーベルプリンタ４、メディア搬送機構２は、その駆動をＣＤ／ＤＶＤパブリッシャ１に搭載しているファームウエアで自動判別制御を行なうようにしていたが、ＣＤ／ＤＶＤパブリッシャ１に通信可能に接続された駆動制御装置からその駆動を制御して、前記の例と同様のメディア発行の処理を行なうこともできる。この場合には、駆動制御装置の側に搭載したアプリケーションソフトやドライバソフトなどによって、メディア処理装置に指令を与えると共に、メディア処理装置からのハードウエアの動作状態を示すステータス情報を監視するようにして、メディア処理装置を駆動制御すればよい。
【００６２】
（構成の説明）
図４はこのように構成されたメディア処理システムの一例を示すブロック図である。本例のメディア作成システム１００は、駆動制御装置７０とＣＤ／ＤＶＤパブリッシャ１Ａとを備えている。駆動制御装置７０はＣＤ／ＤＶＤパブリッシャ１Ａとの間で通信可能に接続されたコンピュータであり、ＣＤ／ＤＶＤパブリッシャ１Ａを駆動制御するためのアプリケーションソフトが動作している。ＣＤ／ＤＶＤパブリッシャ１Ａの基本的な構成は実施の形態１のＣＤ／ＤＶＤパブリッシャ１と同様であり、対応する部位には同一の符号を付してその説明を省略する。
【００６３】
駆動制御装置７０は、ＣＤ／ＤＶＤパブリッシャ１Ａとの間で行なわれる制御指令やステータス情報等の送受信に用いられるインタフェース７１と、インタフェース７１で受信した情報を処理するデータ受信部７２と、ＣＤ／ＤＶＤパブリッシャ１Ａのレーベルプリンタ４のインク供給異常状態を監視するインク供給状態監視部７３と、メディアドライブ３のデータ書込み異常を監視するデータ書込み状態監視部７４と、ブランクメディアスタッカ５のディスクの残量などを監視するスタッカ状態監視部７５と、ＣＤ／ＤＶＤパブリッシャ１Ａを駆動制御するための各種の制御指令を生成する指令生成部８１〜８４と、生成した制御指令を送信するデータ送信部７８と、これら各部を制御する駆動制御部７９とを備えている。
【００６４】
指令生成部８１〜８４は、メディア搬送機構２を駆動制御してメディアを指定位置から指定位置まで搬送するための制御指令を生成する搬送指令生成部８１、メディアドライブ３を駆動制御して、ブランクメディア１０に所定のデータを書込むための書込み指令を生成する書込み処理指令生成部８２、レーベルプリンタ４を駆動制御して書込み済みメディアに所定のレーベルを印刷するための印刷指令を生成するための印刷処理指令生成部８３、およびＣＤ／ＤＶＤパブリッシャ１Ａの動作状態を監視するための各種の情報を取得する情報取得指令を生成する情報取得指令生成部８４である。
【００６５】
一方、ＣＤ／ＤＶＤパブリッシャ１Ａは、駆動制御装置７０との間で行なわれる制御指令やステータス情報の送受信に用いられるインタフェース９１と、インタフェース９１で受信した情報を処理するデータ受信部９２と、駆動制御装置７０にパブリッシャ側の情報を生成し通知する情報通知部９４〜９６と、生成した情報を送信するデータ送信部９７と、これら各部およびメディア搬送機構２、メディアドライブ３、レーベルプリンタ４を制御する制御部９３とを備えている。
【００６６】
情報通知部９４〜９６は、データ書込み異常検出部３１が検出したデータ書込み異常を通知する書込み情報通知部９４、プリンタ異常検出部４０が検出したインクエンドおよびインクニアエンドのインク供給状態を通知するインク情報通知部９５、ブランクメディアスタッカ５に収納されているメディアの残量などを通知するスタッカ情報通知部９６である。
【００６７】
（処理動作の説明）
次に、図５は駆動制御装置７０の処理動作を示すフローチャートである。このフローチャートに従って説明する。まず、ステップＳＴ１０１で、スタッカ状態監視部７５がブランクメディアスタッカ５に収納されているブランクメディア１０の残量を取得する。ステップＳＴ１０２でブランクメディア１０が無ければステップＳＴ１０３に移行して、メディア作成の処理動作を終了する。ブランクメディア１０があればステップＳＴ１０４に移行して、搬送指令生成部８１がブランクメディアスタッカ５からメディアドライブ３にブランクメディア１０を搬送する搬送指令を生成し、データ送信部７８によって送信する。
【００６８】
次に、ステップＳＴ１０５では、書込み処理指令生成部８２がブランクメディア１０にデータの書込みを行なう書込み処理指令を生成し、データ送信部７８によって送信した後、ステップＳＴ１０６で、データ書込み状態監視部７４が、データ書込み異常が発生したか否かを取得してステップＳＴ１０７に移行する。
【００６９】
ステップＳＴ１０７でデータ書込み異常を取得した場合には、ステップＳＴ１０８に移行して、データ書込み異常が発生したことを駆動制御装置７０のディスプレイ等に表示する。続くステップＳＴ１０９で、搬送指令生成部８１は、書込み異常メディアを作成不良メディアスタッカ８に搬送する搬送指令を生成し、データ送信部７８によって送信した後、ステップＳＴ１０１に戻る。
【００７０】
ステップＳＴ１０７でデータ書込み正常を取得した場合には、ステップＳＴ１１０でインク供給状態監視部７３がインク供給状態に異常が発生しているか否かを取得してステップＳＴ１１１に移行する。ステップＳＴ１１１では、インクエンドを取得した場合も、インクニアエンドを取得した場合にも、いずれの場合もインク供給異常状態と判定する。
【００７１】
ステップＳＴ１１１でインク供給異常状態を取得した場合には、ステップＳＴ１１２に移行して、インク供給異常状態が発生したことを駆動制御装置７０のディスプレイ等に表示する。続くステップＳＴ１１３で、搬送指令生成部８１は、書込み済みメディアをメディア退避用スタッカ７に収納する搬送指令を生成し、送信した後、ステップＳＴ１０１に戻る。
【００７２】
ステップＳＴ１１１でインク供給状態が正常であることを取得した場合には、ステップＳＴ１１４に移行して、搬送指令生成部８１は、メディアドライブ３からレーベルプリンタ４に書込み済みメディアを搬送する搬送指令を生成し、データ送信部７８によって送信する。次に、ステップＳＴ１１５で、印刷処理指令生成部８３が書込み済みメディアにレーベルの印刷を行なう印刷処理指令を生成し、データ送信部７８によって送信する。レーベル印刷中はパブリッシャ側のプリンタ異常検出部４０がインクエンドおよびインクニアエンドの検出を行なっている。ステップＳＴ１１６で、インク状態監視部７３が、インク供給異常状態が発生しているか否かを取得してステップＳＴ１１７に移行する。本例では、インクエンドを取得した場合も、インクニアエンドを取得した場合にも、いずれの場合もインク供給異常状態と判定する。
【００７３】
ステップＳＴ１１７でインク供給異常状態を取得した場合には、ステップＳＴ１１８に移行して、印刷異常が発生したことを駆動制御装置７０のディスプレイ等に表示する。続くステップＳＴ１１９で、搬送指令生成部８１は、印刷異常メディアを作成不良メディアスタッカ８に搬送する搬送指令を生成し、データ送信部７８によって送信した後、ステップＳＴ１０１に戻る。
【００７４】
ステップＳＴ１１７でインク供給状態が正常であることを取得した場合には、ステップＳＴ１２０でレーベルの印刷の終了を確認するまでステップＳＴ１１５〜ＳＴ１１７を繰り返す。ステップＳＴ１２０でレーベルの印刷の終了を確認するとステップＳＴ１２１に移行して、搬送指令生成部８１は、レーベルプリンタ４から完成メディアを完成メディアスタッカ６に搬送する搬送指令を生成し、データ送信部７８によって送信した後、ステップＳＴ１０１に戻る。
【００７５】
次に、図６はＣＤ／ＤＶＤパブリッシャの処理動作を示すフローチャートである。このフローチャートに従って説明する。
【００７６】
ステップＳＴ２０１でＣＤ／ＤＶＤパブリッシャ１Ａは駆動制御装置７０からの制御指令の有無を確認する。駆動制御装置７０からの制御指令が有る場合はステップＳＴ２０２に移行し、制御指令が無い場合はステップＳＴ２１０に移行する。
【００７７】
ステップＳＴ２０２で搬送指令であった場合、ステップＳＴ２０３に移行して、メディア搬送機構２を動作した後、ステップＳＴ２０１に戻る。メディア搬送機構２の動作とは、駆動制御装置７０のステップＳＴ１０４で生成された搬送指令の場合は、ブランクメディアスタッカ５からメディアドライブ３にブランクメディア１０を搬送する。ステップＳＴ１０９で生成された搬送指令の場合はメディアドライブ３から作成不良メディアスタッカ８に書込み異常メディアを搬送する。ステップＳＴ１１３で生成された搬送指令の場合は、メディアドライブ３からメディア退避用スタッカ７に書込み済みメディアを搬送する。ステップＳＴ１１４で生成された搬送指令の場合、メディアドライブ３からレーベルプリンタ４に書込み済みメディアを搬送する。ステップＳＴ１１９で生成された搬送指令の場合はレーベルプリンタ４から作成不良メディアスタッカ８に印刷異常メディアを搬送する。ステップＳＴ１２１で生成された搬送指令の場合、レーベルプリンタ４から完成メディアスタッカ６に完成メディアを搬送する。
【００７８】
ステップＳＴ２０４で、駆動制御装置７０のステップＳＴ１０６で生成された書込み処理指令であった場合、ステップＳＴ２０５に移行して、メディアドライブ３を駆動して、所定のデータの書込みを行なった後、ステップＳＴ２０１に戻る。
【００７９】
ステップＳＴ２０６で、駆動制御装置７０のステップＳＴ１１５で生成された印刷処理指令であった場合、ステップＳＴ２０６に移行して、レーベルプリンタ４を駆動してレーベルの印刷を行なった後、ステップＳＴ２０１に戻る。
【００８０】
ステップＳＴ２０８で、駆動制御装置７０の情報取得指令生成部８４が生成した情報取得指令であった場合、ステップＳＴ２０９に移行して指定された情報の送信を行なった後、ステップＳＴ２０１に戻る。
【００８１】
ステップＳＴ２１０では、インクニアエンド検出部４２がインクニアエンドを検出すると、ステップＳＴ２１１に移行して、警告表示部１６にインクニアエンドが発生した旨の警告を表示する。続いて、ステップＳＴ２１２に移行して、インクエンドを監視する。
【００８２】
ステップＳＴ２１２では、インクエンド検出部４１がインクエンドを検出すると、ステップＳＴ２１３に移行して、警告表示部１６にインクエンドが発生した旨の警告を表示する。ステップＳＴ２１４で、インクエンドの状態が継続している場合、ステップＳＴ２０１に戻る。一方、ステップＳＴ２１４で、オペレータによって、インクの充填やインクカートリッジ４６の交換が行なわれ、インクエンドの状態で無くなると、ステップＳＴ２１５で警告表示部１６の表示を解除した後、ステップＳＴ２０１に戻る。
【００８３】
（作用効果の説明）
実施の形態２に係るメディア処理システムによっても、実施の形態１と同様な作用効果を得ることができる。
【００８４】
これに加えて、ＣＤ／ＤＶＤパブリッシャ１Ａは、駆動制御装置７０からの指令によって動作するので、ＣＤ／ＤＶＤパブリッシャ１Ａの自動制御動作や、その設定処理が不要となるため、搭載するファームウエアを簡略化することができる。また、駆動制御装置７０からの搬送指令によってメディア搬送機構２の搬送先を自由に指定することができるので、ブランクメディアスタッカ５、完成メディアスタッカ６、作成不良メディアスタッカ８、メディア退避用スタッカ７を、どのスタッカに割り当てるかを変更することが容易にできる。
【００８５】
また、本例では、レーベルの印刷中にインクニアエンドを検出した場合に印刷途中の書込み済みメディアを印刷異常メディアとして強制的に作成不良スタッカ８に排出しているが、前記実施の形態１と同様に、その後にインクエンドが検出されるまで印刷を継続するようにしてもよい。この場合にも、駆動制御装置７０からの制御指令によって、その処理を変更できる。
【００８６】
また、本例ではＣＤ／ＤＶＤパブリッシャ１Ａに予め用意されていた所定のデータをブランクメディア１０に書込んでいるが、駆動制御装置７０の側に書込み用のデータを用意しておいて、書込み処理指令より前にＣＤ／ＤＶＤパブリッシャ１Ａに転送した後に、メディア作成の処理動作を開始してもよい。また、レーベルプリンタ４が印刷するレーベルのデータについても、同様に処理することができる。
【００８７】
さらに、本例ではブランクメディアスタッカ５にあるブランクメディア１０の残量を通知するスタッカ情報通知部９６を備えているので、ここから通知される情報に基づいて駆動制御装置７０のディスプレイにブランクメディア１０の枚数を常時表示するようにすることもできる。ブランクメディアスタッカ５以外の各スタッカについても収納量を検出するようにして、それを常時表示するようにすることもできる。
【００８８】
さらには、インク供給異常状態としてインクニアエンドおよびインクエンドを検出していたが、カートリッジ装着部４７にインクカートリッジ４６が装着されていない状態をインク供給異常として検出してもよい。また、プリンタ異常検出部４０が検出する異常はインク供給異常状態に限られるものではなく、ハードウエアに発生した異常を検出するものであってもよい。いずれの場合にも、インクエンドを検出した場合の処理動作と同様の処理動作を行なうようにすることができる。
【００８９】
また、レーベルプリンタ４の印刷中にインクエンドを検出した場合には、印刷異常メディアを作成不良メディアスタッカ８に排出するようにしている。印刷途中の印刷異常メディアは、データ書込み異常が発生した書込み異常メディアと同様に使用できないので、それらの搬送先を作成不良メディアスタッカ８とすれば、印刷異常メディアと書込み異常メディアを一括して廃棄することができる。
【００９０】
また、本例では、ブランクメディアスタッカ５からブランクメディア１０を搬送してデータの書込みを行なっていたが、搬送されるメディアはブランクメディア１０に限られるものではない。データ書込み領域の一部分に既にデータが書込まれている追記型或いは書き換え型のメディアをブランクメディアスタッカ５に収納しておいて、それらに所定のデータを書込むこともできる。
【００９１】
さらに、レーベルプリンタ４としてインクジェットプリンタを用いていたが、レーベルプリンタとしては、レーザプリンタなどトナーインクを用いてレーベルの印刷を行なうプリンタであってもよい。
【図面の簡単な説明】
【００９２】
【図１】本発明を適用したＣＤ／ＤＶＤパブリッシャの斜視図である。
【図２】ＣＤ／ＤＶＤパブリッシャの機能ブロック図である。
【図３】ＣＤ／ＤＶＤパブリッシャの処理動作を示すフローチャートである。
【図４】本発明を適用したメディア作成システムのブロック図である。
【図５】メディア作成システムの駆動制御装置の制御動作を示すフローチャートである。
【図６】メディア作成システムのＣＤ／ＤＶＤパブリッシャの処理動作を示すフローチャートである。
【符号の説明】
【００９３】
１，１Ａ・ＣＤ／ＤＶＤパブリッシャ、２・メディア搬送機構、３・メディアドライブ、４・レーベルプリンタ、５・ブランクメディアスタッカ、６・完成メディアスタッカ、７・メディア退避用スタッカ、８・作成不良メディアスタッカ、１０・ブランクメディア、１１・筺体、１２，１３・開閉扉、１４・操作パネル面、１６・警告表示部（警告手段）２１・垂直ガイド軸、２２・メディアキャリア、３１・データ書込み異常検出部、３５，４５・メディアトレイ、４０・プリンタ異常検出部、４１・インクエンド検出部、４２・インクニアエンド検出部、４６・インクカートリッジ、４７・カートリッジ装着部、７０・駆動制御装置、７１，９１・インタフェース、７２，９２・データ受信部、７３・インク供給状態監視部、７４・データ書込み状態監視部、７５・スタッカ状態監視部、７８，９７・データ送信部、７９・駆動制御部、８１・搬送指令生成部、８２・書込み処理指令生成部、８３・印刷処理指令生成部、８４・情報取得指令生成部、９３・制御部、９４・書込み情報通知部、９５・インク情報通知部、９６・スタッカ情報通知部、１００・メディア作成システム
【図１】
2008114434.tif 000003
【図２】
2008114434.tif 000004
【図３】
2008114434.tif 000005
【図４】
2008114434.tif 000006
【図５】
2008114434.tif 000007
【図６】
2008114434.tif 000008